(57)【要約】【課題】製造コストが安く、取付け取り外しが簡単に行える電子機器のコネクタホルダを提供する。【解決手段】電子機器本体３に嵌着されたコネクタを保持するコネクタホルダ１において、電子機器本体３のケース４に設けられたコネクタホルダ係止部にコネクタホルダ１に設けられた係止部１ａ、１ａ…を係止させ、前記コネクタホルダ１の内面がコネクタを挾持する摩擦力により前記コネクタホルダ係止部と前記コネクタホルダに設けられた係止部１ａ、１ａ…との係止状態が保持されるように構成した。【選択図】        図２
2006186141.tif 000002
【特許請求の範囲】
【請求項１】
電子機器本体に嵌着されたコネクタを保持するコネクタホルダにおいて、前記電子機器本体のケースに設けられたコネクタホルダ係止部に前記コネクタホルダに設けられた係止部を係止させ、前記コネクタホルダの内面がコネクタを挾持する摩擦力により前記コネクタホルダ係止部と前記コネクタホルダに設けられた係止部との係止状態が保持されるように構成した電子機器のコネクタホルダ。
【請求項２】
前記コネクタホルダの対向する内面に凸部を設け、前記凸部が前記コネクタを挾持するように構成した請求項１の電子機器のコネクタホルダ。
【請求項３】
前記電子機器本体のケースに設けた穴の周囲に凹みを設け、前記凹みに前記コネクタホルダに設けられた係止部を挿通させた後前記コネクタホルダを前記電子機器本体のケースの表面に沿って移動させることにより前記コネクタホルダ係止部と前記コネクタホルダに設けられた係止部とが係止状態となるように構成した請求項１または２の電子機器のコネクタホルダ。
【請求項４】
電子機器本体側に設けたパッキングに前記コネクタホルダで前記コネクタを圧接し防滴構造とした請求項１から３のいずれかに記載した電子機器のコネクタホルダ。
【発明の詳細な説明】
【技術分野】
【０００１】
この発明は電子機器のコネクタホルダに関する。
【背景技術】
【０００２】
従来、無線機等の電子部品にはスピーカ、マイクロホン等の外部取付け部品がコードおよびコネクタを介して接続されるものがあった。この場合、コネクタは電子機器本体に嵌着されるが、このコネクタが電子機器本体から容易に外れないようにコネクタを電子機器本体に保持するコネクタホルダが用いられていた。
【０００３】
図３により、このようなコネクタホルダの従来の例を説明する。図３に示す無線機本体７の樹脂製のケース８にはコンセント６、６を露出させる穴８ａが設けられている。スピーカおよびマイクロホンはコード１０およびコネクタ９を介して無線機本体７に接続される。コネクタ９は樹脂製のコネクタボディ９ａおよびプラグ９ｂ、９ｂを含んで構成されており、プラグ９ｂ、９ｂが無線機本体７のコンセント６、６に差込まれることにより無線機本体７に嵌着される。コネクタ９が無線機本体７に嵌着されないときは、図示していない蓋により穴８ａが閉じられる。
【０００４】
板金製のコネクタホルダ１１は無線機本体７に嵌着されたコネクタ９が無線機本体７から容易に外れないようにコネクタ９を無線機本体７に保持するものである。すなわち、コネクタホルダ１１をコネクタ９に被せるようにしてコネクタホルダ１１の凸片１１ａをケース８のスリット８ｃに差込み、コネクタホルダ１１の穴１１ｂを挿通したねじ１４をケース８のねじ穴８ｂにねじ込むことにより、コネクタホルダ１１をコネクタ９を保持した状態で無線機本体７に締着する。
【０００５】
図４（ａ）に無線機のコネクタホルダの他の例を示す。この樹脂製のコネクタホルダ１２はカバー形状に成形されており、その対向する上部端面に係止部１２ａ，１２ａが突出形成され、下部フランジ部に穴１２ｂが設けられている。
【０００６】
このコネクタホルダ１２が取付けられる無線機のケースには図３に示すものと同様にコンセントを露出させる穴が設けられている。その穴の縁に凹みが形成されており、その凹みにコネクタホルダ１２の係止部１２ａ，１２ａを挿通した状態でケースの表面に沿ってコネクタホルダ１２をスライドさせることにより、係止部１２ａ，１２ａでケースを係止させる。この状態で穴１２ｂを挿通したねじ１４をケースのねじ穴にねじ込むことにより、コネクタホルダ１２を無線機のケースに締着して、無線機に嵌着されたコネクタを保持させる。
【０００７】
図４（ｂ）に無線機のコネクタホルダのさらに他の例を示す。この板金製のコネクタホルダ１３はカバー形状に成形されており、一端に凸片１３ａが折曲げ形成され、他端部に穴１３ｂが設けられている。
【０００８】
このコネクタホルダ１３が取付けられる無線機のケースには図３に示すものと同様にコンセントを露出させる穴が設けられている。その穴の縁から凸片１３ａをケース内部に差込み凸片１３ａをケースに係止させる。この状態で穴１３ｂを挿通したねじ１４をケースのねじ穴にねじ込むことにより、コネクタホルダ１３を無線機のケースに締着して、無線機に嵌着されたコネクタを保持させる。
【０００９】
上記した図３および図４（ａ）および（ｂ）に示したコネクタホルダはねじで無線機本体に締着されるため、ドライバがないとコネクタホルダの取付け取り外しができず、コネクタホルダで保持されたコネクタの取付け取り外しもできず取扱いが不便であった。
【００１０】
また、外部からの衝撃で係止部が外れた場合にも、ねじで締着された部分は無線機本体から外れないために、コネクタホルダが破損する恐れがあった。
【００１１】
さらに、何らかの原因によりコードが強く引張られた場合にコネクタホルダが外れないためにコードが切れることがあった。また、図３および図４（ｂ）に示すコネクタホルダは金属製であるため、製造コストが高くなるという問題があった。
【００１２】
実開昭５７−１１５２８９号公報に開示された電源コードは、電源コードと一体にコードブッシュが形成されており、このコードブッシュに設けられた穴を挿通するねじを器体のねじ穴にねじ込んで電源コードを器体に固定する。
【００１３】
この電源コードの固定方法によると、電源コードを取付け取り外しするときにドライバが必要であり、電源コードの取付け取り外しが不便であった。
【特許文献１】実開昭５７−１１５２８９号公報、２頁、第２図
【発明の開示】
【発明が解決しようとする課題】
【００１４】
この発明は上記した点に鑑みてなされたものであって、その目的とするところは、製造コストが安く、取付け取り外しが簡単に行える電子機器のコネクタホルダを提供することである。
【００１５】
この発明の他の目的は、強い衝撃がかかったときに、コードの断線やコネクタホルダの破損が防止できる電子機器のコネクタホルダを提供することにある。
【課題を解決するための手段】
【００１６】
この発明の電子機器のコネクタホルダは、電子機器本体に嵌着されたコネクタを保持するコネクタホルダにおいて、前記電子機器本体のケースに設けられたコネクタホルダ係止部に前記コネクタホルダに設けられた係止部を係止させ、前記コネクタホルダの内面がコネクタを挾持する摩擦力により前記コネクタホルダ係止部と前記コネクタホルダに設けられた係止部との係止状態が保持されるように構成したものである。
【００１７】
また、前記電子機器のコネクタホルダにおいて、前記コネクタホルダの対向する内面に凸部を設け、前記凸部が前記コネクタを挾持するように構成したものである。
【００１８】
また、前記各電子機器のコネクタホルダにおいて、前記電子機器本体のケースに設けた穴の周囲に凹みを設け、前記凹みに前記コネクタホルダに設けられた係止部を挿通させた後前記コネクタホルダを前記電子機器本体のケースの表面に沿って移動させることにより前記コネクタホルダ係止部と前記コネクタホルダに設けられた係止部とが係止状態となるように構成したものである。
【００１９】
さらに、前記各電子機器のコネクタホルダにおいて、電子機器本体側に設けたパッキングに前記コネクタホルダで前記コネクタを圧接し防滴構造としたものである。
【発明の効果】
【００２０】
この発明の電子機器のコネクタホルダによれば、複雑なロック機構を必要とせず、工具を使用することなく、コネクタホルダを電子機器本体に取付け取り外しができる。
【００２１】
また、強い衝撃がコネクタに接続されているコードやコネクタホルダに加わったときにコネクタホルダの係止部が弾性変形して電子機器本体から外れるので、コネクタホルダの破損やコードの断線が防止される。
【００２２】
また、コネクタホルダを合成樹脂で製造することが可能であり、製造コストが板金製のものに比べて安くなる。
【発明を実施するための最良の形態】
【００２３】
以下この発明を実施するための最良の形態を実施例に即して説明する。
【実施例１】
【００２４】
図１はこの発明の実施例１である電子機器のコネクタホルダを示す斜視図、図２は同コネクタホルダの使用状態を示す分解斜視図である。図１に示す樹脂製のコネクタホルダ１はカバー形状に成形されており、図２に示す無線機本体３のケース４との当接面には４個の係止部１ａ、１ａ…と１個の突起１ｅが突出形成されている。
【００２５】
上部の係止部１ａ、１ａは対称形状であり、下面および外面が開放された凹み１ｂ、１ｂが形成されている。上部の係止部１ａ、１ａの対向する内面はコネクタホルダ１の内面に形成された凸部１ｃ、１ｃと同一面を形成している。
【００２６】
下部の係止部１ａ、１ａも対称形状であり、下面および外面が開放された凹み１ｂ、１ｂが形成されているが、その対向する内面は凸部を形成せず、コネクタホルダ１の内面と同一面を形成している。コネクタホルダ１の内面の頂部にはクッション２が貼着されている。また、コネクタホルダ１の対向する内面には丸リブ１ｄ、１ｄが形成されている。
【００２７】
このコネクタホルダ１が取付けられる図２に示す無線機本体３のケース４にはコンセント６、６を露出させる穴４ａが設けられている。コンセント６、６の周囲の穴４ａで露出される部分にはパッキング５が張り付けられている。
【００２８】
コンセント６、６には図３で説明したものと同様のコネクタ９が嵌着される。すなわち、コネクタ９のコネクタボディ９ａから延びるプラグ９ｂ、９ｂがコンセント６、６に差し込まれてコネクタ９が無線機本体３に嵌着される。
【００２９】
このように無線機本体３に嵌着されたコネクタ９は無線機本体３に係止されるコネクタホルダ１に保持される。コネクタホルダ１を無線機本体３に係止する場合、まず、コネクタホルダ１の突起１ｅをケース４の溝４ｃに嵌めて、コネクタホルダ１を溝４ｃによりガイドさせる。
【００３０】
その後、コネクタホルダ１をケース４に押しつけながら図２における下方向に移動させると、コネクタホルダ１の係止部１ａ、１ａ、…はケース４の凹み４ｂ、４ｂ…に入り込み、コネクタホルダ１の突起１ｅはケース４の凹部４ｄに入り込む。そして、コネクタホルダ１をさらに下方向に移動させると、係止部１ａ、１ａ、…の凹み１ｂ、１ｂにケース４の穴４ａの縁が入り込み、突起１ｅが凹部４ｄの縁に当たりコネクタホルダ１の係止状態の位置が決まる。
【００３１】
このように、コネクタホルダ１が係止状態となると、コネクタホルダ１の対向する凸部１ｃ、１ｃはコネクタ９のコネクタボディ９ａを挾持し、また、コネクタホルダ１の丸リブ１ｄ、１ｄはコネクタボディ９ａの凹みにはまり込みコネクタホルダ１は摩擦力でロック状態となる。
【００３２】
すなわち、コネクタホルダ１はワンタッチで係止状態となり、上記摩擦力に打ち勝つ力でコネクタホルダ１を移動させることにより簡単に取り外すことができる。また、コネクタホルダ１が係止状態で、クッション２によりコネクタボディ９ａを無線機本体３のパッキング５に圧接するので、防滴構造とすることができる。
【００３３】
また、強い衝撃がコネクタに接続されているコードやコネクタホルダに加わったときにコネクタホルダの係止部が弾性変形して電子機器本体から外れるので、コネクタホルダの破損やコードの断線が防止される。そして、コネクタが無線機本体３から外れたとき、コネクタホルダ１の丸リブ１ｄ、１ｄがコネクタに嵌合しているので、コネクタホルダが落下して紛失することがなくなる。
【００３４】
また、係止部１ａ、１ａの対向する内面が凸部１ｃ、１ｃの面と同一面となり、凸部１ｃ、１ｃがコネクタボディと圧接状態となっているので、係止部１ａ、１ａが容易に変形して無線機本体３から外れることがない。
【００３５】
実施例は以上のように構成されているが発明はこれに限られず、例えば、無線機以外の他の電子機器にこの発明を適用することも可能である。
【図面の簡単な説明】
【００３６】
【図１】この発明の実施例１である電子機器のコネクタホルダを示す斜視図である。
【図２】同コネクタホルダの使用状態を示す分解斜視図である。
【図３】従来の電子機器のコネクタホルダの使用状態の例を示す分解斜視図である。
【図４】図４（ａ）は従来の電子機器のコネクタホルダの他の例を示す斜視図、図４（ｂ）は従来の電子機器のコネクタホルダのさらに他の例を示す斜視図である。
【符号の説明】
【００３７】
１  コネクタホルダ、１ａ  係止部、１ｂ  凹部、１ｃ  凸部、１ｄ  丸リブ
１ｅ  突起
２  クッション
３  無線機本体
４  ケース、４ａ  穴、４ｂ  凹み、４ｃ  溝、４ｄ  凹部
５  パッキング
６  コンセント
７  無線機本体
８  ケース、８ａ  穴、８ｂ  ねじ穴、８ｃ  スリット
９  コネクタ、９ａ  コネクタボディ、９ｂ  プラグ
１０  コード
１１  コネクタホルダ、１１ａ  凸片、１１ｂ  穴
１２  コネクタホルダ、１２ａ  係止部、１２ｂ  穴
１３  コネクタホルダ、１３ａ  凸片、１３ｂ  穴
１４  ねじ
【図１】
2006186141.tif 000003
【図２】
2006186141.tif 000004
【図３】
2006186141.tif 000005
【図４】
2006186141.tif 000006